(57)【要約】【課題】信頼性が高く、処理を高速にでき、かつ装置のコストが小さいデータ記憶システムを実現すること。【解決手段】ディスクアレイ装置２００は、２台のハードディスクＨＤＤ１，ＨＤＤ２と、データを分割して、データの各部分を異なるハードディスクＨＤＤ１，ＨＤＤ２に分散記憶させる分散記憶処理部２５１と、各ハードディスクＨＤＤ１，ＨＤＤ２が稼動していないときに、当該ハードディスクＨＤＤ１またはＨＤＤ２に分散記憶処理部２５１が記憶させた部分以外の残りの前記データを、他のハードディスクＨＤＤ２またはＨＤＤ１から当該ハードディスクＨＤＤ１，ＨＤＤ２にコピーするバックアップ処理部２５３とを備える。【選択図】図１
2007264894.tif 000002
【特許請求の範囲】
【請求項１】
２以上の記憶装置と、
データを分割して、データの各部分を異なる前記記憶装置に記憶させる分散記憶処理手段と、
各記憶装置が稼動していないときに、当該記憶装置に前記分散記憶処理手段が記憶させた部分以外の残りの前記データを、他の記憶装置から当該記憶装置にコピーするコピー手段とを備えるデータ記憶システム。
【請求項２】
２以上の記憶装置と、
データを分割して、データの各部分を異なる前記記憶装置に記憶させる分散記憶処理手段と、
各記憶装置が稼動していないときに、前記分散記憶処理手段により各記憶装置に記憶された前記データの各部分を、それぞれ、当該部分が記憶された記憶装置以外の記憶装置へとコピーするコピー手段とを備えるデータ記憶システム。
【請求項３】
前記記憶装置は３台以上あり、
前記コピー手段は、前記分散記憶処理手段により各記憶装置に記憶された前記データの各部分を、それぞれ、当該部分が記憶された記憶装置以外の記憶装置のうち一部の記憶装置に対してのみコピーする請求項２記載のデータ記憶システム。
【請求項４】
前記記憶装置は３台以上あり、
前記コピー手段は、前記分散記憶処理手段により各記憶装置に記憶された前記データの各部分を、それぞれ、当該部分が記憶された記憶装置以外の記憶装置のうち２以上の記憶装置へとコピーする請求項２記載のデータ記憶システム。
【請求項５】
前記記憶装置は、ディスクにデータを記憶するディスク記憶装置であり、
前記分散記憶処理手段は、前記ディスクの各領域を外周側から記憶先に選択する請求項１〜４のいずれかに記載のデータ記憶システム。
【請求項６】
前記記憶装置は、ディスクにデータを記憶するディスク記憶装置であり、
前記コピー手段は、前記ディスクの各領域を内周側からコピー先に選択する請求項１〜５のいずれかに記載のデータ記憶システム。
【発明の詳細な説明】
【技術分野】
【０００１】
本発明は、２以上の記憶装置を備えたデータ記憶システムに関する。
【背景技術】
【０００２】
従来より、ディスクアレイ装置が用いられている。
【０００３】
ＲＡＩＤ０（ＲＡＩＤ：Ｒｅｄｕｎｄａｎｔ  Ａｒｒａｙｓ  ｏｆ  Ｉｎｅｘｐｅｎｓｉｖｅ  Ｄｉｓｋｓ）では、ディスクアレイ装置が有する複数のハードディスクへとデータを振り分けて分散記憶させ、並列に書き込みおよび読み出しがされることにより、処理が高速化される。また、ＲＡＩＤ１では、１つのデータを、多重に複数のハードディスクへと複製記憶させることにより、データ保存の信頼性を向上している。そして、ＲＡＩＤ５では、高速化と信頼性とを両立すべく、ＲＡＩＤ０のデータを分散記憶させるディスクアレイ装置に対して更に別のハードディスクを用意して、エラー訂正情報を併せて記憶するようにして、信頼性を確保している（特許文献１〜３参照）。
【特許文献１】特開平９−６２４６０号公報
【特許文献２】特開２００４−８６７５６号公報
【特許文献３】特開２０００−１３２３４３号公報
【発明の開示】
【発明が解決しようとする課題】
【０００４】
しかしながら、ＲＡＩＤ０では、各データの複製が作られないので信頼性が低く、ＲＡＩＤ１では並列に書き出しや読み出しがされないため、高速化を図ることができず、また、ＲＡＩＤ５では、余分に別のハードディスクを用意する必要があり、コストが高くなって、それぞれ一長一短であった。
【０００５】
本発明は、かかる点に鑑みてなされたものであり、信頼性が高く、処理を高速にでき、かつ装置のコストが低いデータ記憶システムを実現することを目的とする。
【課題を解決するための手段】
【０００６】
請求項１記載のデータ記憶システムは、２以上の記憶装置と、データを分割して、データの各部分を異なる前記記憶装置に記憶させる分散記憶処理手段と、各記憶装置が稼動していないときに、当該記憶装置に前記分散記憶処理手段が記憶させた部分以外の残りの前記データを、他の記憶装置から当該記憶装置にコピーするコピー手段とを備えるデータ記憶システムである。
【０００７】
この構成であれば、２以上の記憶装置が設けられ、データは分割されて、データの各部分が異なる前記記憶装置に記憶されて、各記憶装置が稼動していないときに、当該記憶装置に前記分散記憶処理手段が記憶させた部分以外の残りの前記データが、他の記憶装置から当該記憶装置へとコピー手段によりコピーされる。
【０００８】
したがって、２以上の記憶装置が設けられ、データは分割されて、データの各部分が異なる前記記憶装置に記憶されることにより、高速化が図られる。そして、各記憶装置が稼動していないときに、当該記憶装置に前記分散記憶処理手段が記憶させた部分以外の残りの前記データが、他の記憶装置から当該記憶装置へとコピー手段によりコピーされることにより、残りの前記データがコピーされた記憶装置のうちの少なくとも１台さえ故障が生じず動作可能であれば、その１台のみから完全に全てのデータを再現でき、装置の信頼性が向上する。ここで、各記憶装置が稼動していないときにコピーはされるので、上記の高速化が、コピーのために阻害されることは回避される。さらに、エラー訂正情報を併せて記憶することがＲＡＩＤ５などのように必須ではなく、したがってエラー訂正情報を記憶するために余分な記憶装置を用意することも必須でないため、このデータ記憶システムでは、装置のコストが低い。こうして、信頼性が高く、高速に処理がされ、かつコストが低いデータ記憶システムを実現することができる。
【０００９】
なお、このシステムでは、上述のように、エラー訂正情報を併せて記憶することが必須でなく、余分な記憶装置が必要とならないため、最低２台の記憶装置があればシステムを構築することができる。この点で、データを並列に記憶するために少なくとも２台のハードディスクが必要になるのに加えて、更にエラー訂正情報を記憶するために余分なハードディスクが必要となり、最低３台のハードディスクが必要になるＲＡＩＤ５などより優れている。
【００１０】
請求項２記載のデータ記憶システムは、２以上の記憶装置と、データを分割して、データの各部分を異なる前記記憶装置に記憶させる分散記憶処理手段と、各記憶装置が稼動していないときに、前記分散記憶処理手段により各記憶装置に記憶された前記データの各部分を、それぞれ、当該部分が記憶された記憶装置以外の記憶装置へとコピーするコピー手段とを備えるデータ記憶システムである。
【００１１】
この構成であれば、２以上の記憶装置が設けられ、データは分割されて、データの各部分が異なる前記記憶装置に記憶されて、各記憶装置が稼動していないときに、前記分散記憶処理手段により各記憶装置に記憶された前記データの各部分が、それぞれ、当該部分が記憶された記憶装置以外の記憶装置へとコピーされる。
【００１２】
したがって、２以上の記憶装置が設けられ、データは分割されて、データの各部分が異なる前記記憶装置に記憶されることにより、高速化が図られる。また、各記憶装置が稼動していないときに、前記分散記憶処理手段により各記憶装置に記憶された前記データの各部分が、それぞれ、当該部分が記憶された記憶装置以外の記憶装置へとコピーされることにより、装置の信頼性が向上されている。ここで、各記憶装置が稼動していないときにコピーはされるので、上記の高速化が、コピーのために阻害されることは回避される。さらに、エラー訂正情報を併せて記憶することがＲＡＩＤ５などのように必須ではなく、したがってエラー訂正情報を記憶するために余分な記憶装置を用意することも必須でないため、このデータ記憶システムでは、装置のコストが低い。こうして、信頼性が高く、高速に処理がされ、かつコストが低いデータ記憶システムを実現することができる。
【００１３】
また、このデータ記憶システムも、最低２台の記憶装置があればシステム構築することができるので、最低３台のハードディスクが必要になるＲＡＩＤ５などより優れている。
【００１４】
なお、コピー手段は、分散記憶処理手段が各記憶装置に記憶させた前記データの各部分を、それぞれ、当該部分が記憶された記憶装置以外の全ての記憶装置へとコピーするものとしてもよい。こうすれば、どの記憶装置にも、どの部分のコピーも存在することになり、少なくとも１台の記憶装置さえ故障が生じずに動作可能であれば、その１台のみから完全に全てのデータを再現でき、装置の信頼性が向上する。
【００１５】
請求項３記載のデータ記憶システムは、前記記憶装置は３台以上あり、前記コピー手段は、前記分散記憶処理手段により各記憶装置に記憶された前記データの各部分を、それぞれ、当該部分が記憶された記憶装置以外の記憶装置のうち一部の記憶装置に対してのみコピーする請求項２記載のデータ記憶システムである。
【００１６】
この構成であれば、記憶装置は３台以上あり、分散記憶処理手段により各記憶装置に記憶された前記データの各部分が、それぞれ、当該部分が記憶された記憶装置以外の記憶装置のうち一部の記憶装置に対してのみコピー手段によりコピーされる。
【００１７】
したがって、コピーにより消費される記憶域が少なくなり、記憶域が空いて、他に有効利用することができるようになるので、好ましい。
【００１８】
なお、コピー手段は、１台の記憶装置に対してのみコピーを行うものとしてもよい。こうすれば、コピー手段のコピーに充てられる記憶域を最も少なくすることができる。
【００１９】
請求項４記載のデータ記憶システムは、前記記憶装置は３台以上あり、前記コピー手段は、前記分散記憶処理手段により各記憶装置に記憶された前記データの各部分を、それぞれ、当該部分が記憶された記憶装置以外の記憶装置のうち２以上の記憶装置へとコピーする請求項２記載のデータ記憶システムである。
【００２０】
この構成であれば、記憶装置は３台以上あり、分散記憶処理手段により各記憶装置に記憶された前記データの各部分が、それぞれ、当該部分が記憶された記憶装置以外の記憶装置のうち２以上の記憶装置へとコピー手段によりコピーされる。
【００２１】
したがって、２以上の記憶装置へと多重にコピーがとられるので、信頼性が向上する。
【００２２】
請求項５記載のデータ記憶システムは、前記記憶装置は、ディスクにデータを記憶するディスク記憶装置であり、前記分散記憶処理手段は、前記ディスクの各領域を外周側から記憶先に選択する請求項１〜４のいずれかに記載のデータ記憶システムである。
【００２３】
この構成であれば、記憶装置は、ディスクにデータを記憶するディスク記憶装置として構成され、分散記憶処理手段により、ディスクの各領域が外周側から記憶先に選択される。
【００２４】
したがって、ディスクにデータを記憶するディスク記憶装置として記憶装置が構成されている場合において、高速にアクセス可能な外周側から記憶先が分散記憶処理手段に選択されるようになり、高速化を図ることができる。
【００２５】
請求項６記載のデータ記憶システムは、前記記憶装置は、ディスクにデータを記憶するディスク記憶装置であり、前記コピー手段は、前記ディスクの各領域を内周側からコピー先に選択する請求項１〜５のいずれかに記載のデータ記憶システムである。
【００２６】
この構成であれば、記憶装置は、ディスクにデータを記憶するディスク記憶装置として構成され、コピー手段により、ディスクの各領域が内周側からコピー先に選択される。
【００２７】
したがって、ディスクにデータを記憶するディスク記憶装置として記憶装置が構成されている場合において、高速にアクセス可能な外周側を空けて、内周側からコピー先がコピー手段に選択されて、自由に分散記憶処理手段に外周側を利用させることができるようになり、装置全体としての高速化を図ることができる。
【発明の効果】
【００２８】
本発明によれば、信頼性が高く、処理が高速にでき、かつ装置のコストが低いデータ記憶システムを実現することができる。
【発明を実施するための最良の形態】
【００２９】
以下、本発明の一実施形態に係るディスクアレイ装置２００について図面を参照して説明する。
【００３０】
図１は、本発明の一実施形態に係るディスクアレイ装置２００を示す図である。
【００３１】
ディスクアレイ装置２００は、第一および第二の２台のハードディスクＨＤＤ１，ＨＤＤ２と、これらのハードディスクＨＤＤ１，ＨＤＤ２に接続されて、ハードディスクＨＤＤ１，ＨＤＤ２を制御する制御装置２５０とを有する。
【００３２】
なお、ここでは、ハードディスクが２台設けられる場合を例にとって説明するが、ハードディスクは２台以上であれば何台でもよい。変形例では、３台とされた場合について、詳しく説明する（図４〜図５）。
【００３３】
制御装置２５０は、上位装置１００からデータを取得して、それをハードディスクＨＤＤ１，ＨＤＤ２に分散記憶させる。図１では、制御装置２５０が、上位装置１００から取得したデータＤａｔａＡを、前半部分Ａ１と後半部分Ａ２に分割して、Ａ１をハードディスクＨＤＤ１に、Ａ２をハードディスクＨＤＤ２に、それぞれ記憶させる様子を模式的に示している。以下では、このようにしてハードディスクＨＤＤ１，ＨＤＤ２に分散記憶された各々のデータのことを、分散記憶データＤＤ１，ＤＤ２と呼ぶ。
【００３４】
また、制御装置２５０は、このようにしてハードディスクＨＤＤ１，ＨＤＤ２に分散記憶させた各分散記憶データを、他方のハードディスクＨＤＤ２，ＨＤＤ１へとバックアップする。
【００３５】
制御装置２５０は、これらの機能を奏する情報処理装置として、ＣＰＵ、ＲＯＭ、ＲＡＭなどにより構成されている。
【００３６】
図１には、制御装置２５０に実現される機能ブロックを併せて示している。制御装置２５０には、分散記憶処理部２５１と、分散記憶処理監視部２５２と、バックアップ処理部２５３とが実現される。
【００３７】
分散記憶処理部２５１は、上位装置１００からデータを取得して、ハードディスクＨＤＤ１，ＨＤＤ２に分散記憶させると共に、ハードディスクＨＤＤ１，ＨＤＤ２に分散記憶されたデータの読み出しを行って、上位装置１００へと送る。これらの処理は、２台のハードディスクＨＤＤ１，ＨＤＤ２へのアクセスが並行して行われることにより、高速に行われる。
【００３８】
分散記憶処理監視部２５２は、分散記憶処理部２５１が行う処理の状態を監視する。
【００３９】
バックアップ処理部２５３は、分散記憶処理監視部２５２を通じて、分散記憶処理部２５１の状態を検知して、分散記憶処理部２５１がハードディスクＨＤＤ１，ＨＤＤ２へのアクセスを行っていない間に、以下で説明するバックアップ処理を実行する。
【００４０】
図１においては、バックアップ処理におけるデータの動きを矢印Ｒ１，Ｒ２によって示している。
【００４１】
矢印Ｒ１は、第一ハードディスクＨＤＤ１の分散記憶データＤＤ１のＡ１が、第二ハードディスクＨＤＤ２のバックアップデータＢＤ２へと複製されるデータの動きを示しており、また、矢印Ｒ２は、第二ハードディスクＨＤＤ２の分散記憶データＤＤ２のＡ２が、第一ハードディスクＨＤＤ１のバックアップデータＢＤ１へと複製されるデータの動きを示している。
【００４２】
このようにして、バックアップ処理では、各ハードディスクＨＤＤ１，２に記憶された分散記憶データＤＤ１，ＨＤＤ２が、それぞれ、記憶されたハードディスクＨＤＤ１，ＨＤＤ２から、他方のハードディスクＨＤＤ２，ＨＤＤ１へとバックアップ処理部２５３によりコピーされる。
【００４３】
こうしてバックアップ処理がされ、上述したデータコピーがすべて完了したときには、ＲＡＩＤ１の場合と同様に、上位装置１００からディスクアレイ装置２００へと入力されたデータのすべてが（Ａ１とＡ２の両方が）、ハードディスクＨＤＤ１とハードディスクＨＤＤ２とに、それぞれ両方（すべて）記憶された状態となる。
【００４４】
図２は、第一ハードディスクＨＤＤ１における記憶域の利用態様を示す図である。
【００４５】
図２において、磁気ディスクＤＩＳＫ１は、第一ハードディスクＨＤＤ１に設けられた磁気記憶媒体である。
【００４６】
そして、前述の分散記憶処理部２５１は、記憶先に、磁気ディスクＤＩＳＫ１の周縁部Ｒｅｇ１を選択し、バックアップ処理部２５３は中心部Ｒｅｇ２を選択する。この結果、周縁部Ｒｅｇ１には、分散記憶データＤＤ１が記憶され（たとえば、データＡ１が記憶され：図２参照）、中心部Ｒｅｇ２には、バックアップデータＢＤ１が記憶される（たとえば、データＡ２が記憶される：図２参照）。ここで、相対的に、周縁部Ｒｅｇ１は、中心部Ｒｅｇ２よりも高速にアクセスを行うことができ、この結果、分散記憶データＤＤ１への分散記憶処理部２５１によるアクセスは相対的に高速になり、バックアップデータＢＤ１へのバックアップ処理部２５３によるアクセスよりも優先して速度が向上される。
【００４７】
以上の説明は、第一ハードディスクＨＤＤ１をとりあげて例として説明したが、第二ハードディスクＨＤＤ２についても同様である。
【００４８】
図３は、ディスクアレイ装置２００の動作を説明するフローチャートである。
【００４９】
ディスクアレイ装置２００は、上位装置１００から、新たにハードディスクＨＤＤ１，ＨＤＤ２へと記憶すべきデータが分散記憶処理部２５１（図１）に到着するたびに、図示する処理を実行する。
【００５０】
ステップＳ１では、到着したデータを、ハードディスクＨＤＤ１，ＨＤＤ２の分散記憶データＤＤ１およびＤＤ２へと分散記憶処理部２５１が分散記憶させる。
【００５１】
ステップＳ２では、バックアップ処理部２５３が、分散記憶処理部２５１の状態を検知して、ハードディスクＨＤＤ１，ＨＤＤ２へのアクセスの途中か否かを検知する。直前のステップＳ１で書き込まれたデータ以外に、他に、上位装置１００からハードディスクＨＤＤ１，ＨＤＤ２へと書き込まれる途中のデータが分散記憶処理部２５１にある場合や、逆に上位装置１００へと分散記憶処理部２５１が読み出し途中のデータがある場合などには、このステップＳ２において、ハードディスクＨＤＤ１，ＨＤＤ２はアクセス中であることがバックアップ処理部２５３に検知されて、アクセスがなくなるまでループ処理が行われる（ステップＳ２：ＹＥＳ）。
【００５２】
ステップＳ３では、アクセスがなくなった場合に（ステップＳ２：ＮＯ）、バックアップ処理部２５３がバックアップ処理を実行する。
【００５３】
なお、このステップＳ３では、処理途中に、上位装置１００から新たに何らかの指示が分散記憶処理部２５１へと届き、分散記憶処理部２５１がハードディスクディスクＨＤＤ１，ＨＤＤ２へのアクセスを再開する場合には、中途で処理が中断される。こうすることにより、上位装置１００から指示が速やかに実行されるようにすることができる。
【００５４】
こうして、信頼性が高く、高速に処理がされ、かつコストが小さくて済むデータ記憶システムを実現することができる。
【００５５】
本実施例の変形例について、以下説明する。
【００５６】
（Ａ）ハードディスクは３台以上あってもよい。ハードディスクを３台以上設けた場合でも、上記実施形態で説明したのと同様にディスクアレイ装置は構成することができる。
【００５７】
図４は、３台のハードディスクＨＤＤ１〜ＨＤＤ３の間で行われるバックアップ処理を示す説明図である。図４により説明するディスクアレイ装置２００ａでは、３台のハードディスクＨＤＤ１〜ＨＤＤ３が設けられている。
【００５８】
３台のハードディスクＨＤＤ１〜ＨＤＤ３が設けられたディスクアレイ装置２００ａにおいては、上位装置１００から取得したデータは、前半部分と、中央部分と、後半部分とに三分割される。図４では、Ａ１〜Ａ３に三分割されたものとして、それぞれ、ハードディスクＨＤＤ１〜ＨＤＤ３に分散して、分散記憶データＤＤ１〜ＤＤ３に記憶されている様子を示している。
【００５９】
ディスクアレイ装置２００ａにおけるバックアップ処理では（図３のステップＳ３）、矢印Ｒ１ａで示すように、第一ハードディスクＨＤＤ１の分散記憶データＤＤ１のデータＡ１が、第二ハードディスクＨＤＤ２のバックアップデータＢＤ２ａへと複製されると共に、そのデータＡ１が、さらに、矢印Ｒ２aで示すように、第三ハードディスクＨＤＤ３のバックアップデータＢＤ３aへも、複製される。このように、ディスクアレイ装置２００ａにおいては、各ハードディスクＨＤＤ１〜ＨＤＤ３に記憶された分散記憶データＤＤ１〜ＤＤ３が、記憶されたハードディスクＨＤＤ１〜ＨＤＤ３から、他の２台のハードディスクＨＤＤ２，３、ハードディスクＨＤＤ３，１、およびハードディスクＨＤＤ１，２へとコピーされる。
【００６０】
こうしてバックアップ処理がされると、最終的に、ＲＡＩＤ１の場合と同様に、ハードディスクＨＤＤ１〜ＨＤＤ３に、それぞれ、上位装置１００からディスクアレイ装置２００へと入力されたデータ（Ａ１、Ａ２、Ａ３）のすべてが記憶された状態となり、少なくとも１台のハードディスクさえ故障が生じずに動作可能であれば、その１台のみから完全に全てのデータを再現することができる。
【００６１】
（Ｂ）図４の場合には、ハードディスクＨＤＤ１〜ＨＤＤ３の分散記憶データＤＤ１〜ＤＤ３が、それぞれ、他の２つのハードディスクＨＤＤ２，３と、ハードディスクＨＤＤ３，１と、ハードディスクＨＤＤ１，２とにコピーされる場合を説明した。このように複数のコピーがとられることにより、データ保存の信頼性は向上するが、必ずしも、このように複数のコピーをとらなければならないことはなく、１台のハードディスクに対してのみバックアップは行われるものとしてもよい。
【００６２】
図５は、バックアップが１台のハードディスクに対してのみ行われる場合の変形例を示す説明図である。図５の場合には、ハードディスクＨＤＤ１〜ＨＤＤ３に記憶されたデータが、それぞれ、ほかの１台のハードディスクＨＤＤ２、ＨＤＤ３、ＨＤＤ１のバックアップデータＢＤ２ｂ，ＢＤ３ｂ，ＢＤ１ｂに対してのみコピーされる。こうすれば、バックアップデータの記憶に必要な記憶域が少なくて済み、上位装置１００からのデータを多くディスクアレイ装置２００ｂに記憶できるようになる。また、バックアップ処理が比較的簡単になる。
【００６３】
（Ｃ）上記の説明では、ハードディスクによりデータ記憶システムを構築しているが、このようにハードディスクによりデータ記憶システムを構築する場合に限らず、種々の態様の記憶装置により、本発明のデータ記憶システムは構築することができる。
【００６４】
その場合も、比較的、高速にアクセス可能な記憶域と、そうでない記憶域とを使い分けて、比較的、高速にアクセス可能な記憶域には分散記憶データを優先的に記憶し、他方の記憶域にはバックアップデータを優先的に記憶するようにして、記憶域を適切に使い分けて高速化を図るようにする。
【００６５】
（Ｄ）分散記憶処理監視部２５２は、分散記憶処理部２５１の処理状態を監視するのではなく、分散記憶処理部２５１からハードディスクへのアクセスを直接監視するものとしてもよい。
【図面の簡単な説明】
【００６６】
【図１】本発明の一実施形態に係るディスクアレイ装置２００を示す図である。
【図２】第一ハードディスクＨＤＤ１における記憶域の利用態様を示す図である。
【図３】ディスクアレイ装置２００の動作を説明するフローチャートである。
【図４】変形例に係る、３台のハードディスクＨＤＤ１〜ＨＤＤ３の間で行われるバックアップ処理を示す説明図である。
【図５】データの複製が１台のハードディスクに対してのみされる場合の変形例を示す説明図である。
【符号の説明】
【００６７】
１００  上位装置
２００  ディスクアレイ装置
２００ａ  ディスクアレイ装置
２００ｂ  ディスクアレイ装置
２５０  制御装置
２５１  分散記憶処理部
２５２  分散記憶処理監視部
２５３  バックアップ処理部
Ａ１  データＤａｔａＡの前半部分
Ａ２  データＤａｔａＡの後半部分
ＢＤ１，ＢＤ２  バックアップデータ
ＢＤ１ａ〜ＢＤ３ａ  バックアップデータ
ＢＤ１ｂ〜ＢＤ３ｂ  バックアップデータ
ＤａｔａＡ  上位装置１００から取得されたデータ
ＤＤ１、ＤＤ２  分散記憶データ
ＤＤ３  分散記憶データ
ＤＩＳＫ１  磁気ディスク
ＨＤＤ１  第一ハードディスク
ＨＤＤ２  第二ハードディスク
ＨＤＤ３  第三ハードディスク
Ｒ１，Ｒ２  バックアップ処理におけるデータの動き
Ｒ１ａ，Ｒ２ａ  バックアップ処理におけるデータの動き
Ｒｅｇ１  周縁部
Ｒｅｇ２  中心部
【図１】
2007264894.tif 000003
【図２】
2007264894.tif 000004
【図３】
2007264894.tif 000005
【図４】
2007264894.tif 000006
【図５】
2007264894.tif 000007